(57)【要約】【課題】番組送信装置が送信する番組管理情報に番組ごとにレジューム位置情報を設定する領域がないためネットワークを介して番組の再生やダビングをおこなう際にレジューム情報を利用するためには、レジューム情報専用に通信領域を増やさなければならない。【解決手段】番組管理情報のディスク全体のレジューム位置情報を設定する領域に該当番組のレジューム位置情報を設定して、番組管理情報を通知することで、レジューム情報専用に通信領域を増やす必要がなくなる。【選択図】図１
2006311264.tif 000002
【特許請求の範囲】
【請求項１】
記録メディアから番組の管理情報を取得する取得手段と、前記取得手段が取得した管理情報がレジューム位置情報を含むかを判断する判断手段と、前記判断手段がレジューム位置情報を含むと判断したときは、管理情報におけるディスク全体のレジューム位置情報の領域に番組のレジューム位置情報を更新する更新手段と、前記更新手段が更新した管理情報を送信する送信手段とを備えることを特徴とする番組送信装置。
【請求項２】
管理情報を受信する受信手段と、受信した管理情報のディスク全体のレジューム位置領域にレジューム情報が設定されているかを判断する判断手段と、レジューム位置が設定されていると前記判断手段が判断したときにレジューム位置から再生を開始する再生手段とを備えることを特徴とする番組受信装置。
【請求項３】
管理情報を受信する受信手段と、受信した管理情報のディスク全体のレジューム位置領域にレジューム情報が設定されているかを判断する判断手段と、レジューム位置が設定されていると前記判断手段が判断したときにレジューム位置を番組のレジューム位置情報として管理情報を更新する更新手段とを備えることを特徴とする番組受信装置。
【発明の詳細な説明】
【技術分野】
【０００１】
本発明は、ネットワークを介して接続された番組送信装置と番組受信装置との記録再生システムに関するもので、とくに番組送信装置に関するものである。
【背景技術】
【０００２】
近年、ネットワークを利用した家電製品が非常に多く発売されており、その中でも記録再生装置は多くの製品が発売されるとともに大きな期待を集めている。ネットワークを利用した映像再生方法についてもネットワーク映像再生方法および圧縮映像データ複合再生装置が既に発明されている（例えば、特許文献１参照）。既に発明されている上記手法は番組受信装置が番組送信装置に番組のストリーム情報（以下、番組データ）を要求する手法であるが、送信する前に予め番組の管理情報（以下、番組管理情報）を番組受信装置が番組送信装置から受信しておき、受信した番組管理情報を基に番組データを取得する手法が用いられている。
【０００３】
受信した番組データを番組受信装置によって表示するとネットワークを介したストリーミング再生を実現できる。また、受信した番組管理情報と番組データを番組受信装置の記録メディアに記録するとネットワークを介したダビングを実現できる。このときネットワークを介して送信される番組管理情報は、ＶＩＤＥＯ  ＲＥＣＯＲＤＩＮＧ規格（以下、ＶＲ規格）の管理情報に準拠している場合が一般的である。しかし、ＶＲ規格には番組ごとに管理しておけるレジューム位置情報を設定する領域がないため、番組のレジューム位置情報が番組受信装置に通知されないという問題が生じる。ここで、番組のレジューム位置情報とは、番組の再生を停止したときや新しい番組を録画やダビングで作成したときなどに更新される情報であり、ユーザーが再生を要求したときに再生を開始する番組内の位置のことをいう。
【特許文献１】特開２００３−４６９２８号公報
【発明の開示】
【発明が解決しようとする課題】
【０００４】
ネットワークを介して番組送信装置の記録メディアにある番組の管理情報を番組受信装置に送信するときに、番組管理情報に番組ごとのレジューム位置情報を設定する領域が存在しないため、番組受信装置にレジューム情報を伝えることはできない。
【０００５】
解決しようとする問題点は、ネットワークを介して再生またはダビングするとき、番組送信装置が番組受信装置にレジューム位置情報を通知できない点である。
【課題を解決するための手段】
【０００６】
本発明は、ネットワークを介して番組送信装置と番組受信装置とが接続されているとき、番組送信装置の番組管理情報に存在するディスク全体のレジューム位置情報の領域に番組のレジューム位置情報を設定することにより番組のレジューム位置情報専用にネットワークの通信領域を増やすことなく番組のレジューム情報を送信することを最も主要な特徴とする。
【発明の効果】
【０００７】
本発明は、ネットワークを介して番組受信装置と番組送信装置とが接続されているとき、ディスク全体のレジューム位置情報を設定する領域に番組のレジューム位置情報を設定することにより、レジューム位置情報専用に通信領域を増やすことなしに、番組受信装置にレジューム位置情報を通知できるという利点がある。
【発明を実施するための最良の形態】
【０００８】
ネットワークを介して、番組受信装置が番組管理情報を番組受信装置に送信する際に、ディスク全体のレジューム位置情報の領域に番組のレジューム情報を設定して番組管理情報を送信することによって番組のレジューム位置情報を番組受信装置に通知することを実現した。
【０００９】
（実施の形態１）
図１は、本発明システムの実施の形態１であって、１の番組送信装置は、２のネットワークインターフェイスＡと、３の番組データ要求受信手段と、４の番組管理情報要求受信手段と、５の記録メディアＡと、６の番組データ取得手段と、７の番組データ送信手段と、８の番組管理情報取得手段と、９の番組レジューム情報作成手段と、１０の番組管理情報更新手段と、１１の番組管理情報送信手段とで構成される。また、１２の番組受信装置は、１３のネットワークインターフェイスＢと、１４の番組管理情報要求手段と、１５の番組データ要求手段と、１６の番組管理情報受信手段と、１７の番組レジューム情報加工手段と、１８の番組管理情報更新手段と、１９の番組管理情報記録手段と、２０の番組データ受信手段と、２１の番組データ記録手段と、２２の記録メディアＢとで構成される。
【００１０】
番組送信装置の記録メディアに記録されている番組を番組受信装置の記録メディアにダビングするときの動作について述べる。
【００１１】
まず、記録メディアに番組管理情報を記録する場合について述べる。番組受信装置は番組管理情報要求手段を用いてネットワークインターフェイスＢ  に番組管理情報を要求する。番組受信装置のネットワークインターフェイスＢ  はネットワーク（ＬＡＮ、ＷＡＮ）を介して、番組送信装置に受信した要求を送信する。番組送信装置の番組管理情報要求受付手段はネットワークインターフェイスＡが要求を受信すると記録メディアに該当番組の番組管理情報取得を要求する。番組管理情報取得手段が取得した番組管理情報に含まれる番組レジューム情報は、番組レジューム情報作成手段によって作成されたレジューム情報に修正された後、番組管理情報更新手段によって更新され、番組管理情報送信手段によってネットワークインターフェイスＡに送信される。ネットワークインターフェイスＡに送信された番組管理情報はネットワーク（ＬＡＮ、ＷＡＮ）を介して番組受信装置側のネットワークインターフェイスＢに送信される。番組受信装置は番組管理情報受信手段が受信した番組管理情報は、番組管理情報作成手段を用いて番組受信装置に適した番組管理情報に加工され、番組管理情報更新手段によって更新される。更新された番組管理情報は番組管理情報記録手段によって記録メディアＢに記録される。
【００１２】
次に、記録メディアに番組データを記録する場合について述べる。番組受信装置は番組データ要求手段を用いてネットワークインターフェイスＢ  に番組データを要求する。番組受信装置のネットワークインターフェイスＢ  はネットワーク（ＬＡＮ、ＷＡＮ）を介して、番組送信装置に受信した要求を送信する。番組送信装置の番組データ要求受付手段はネットワークインターフェイスＡが要求を受信すると記録メディアに該当番組の番組データを要求する。番組データ取得手段が取得した番組データは、番組データ送信手段によってネットワークインターフェイスＡに送信される。ネットワークインターフェイスＡに送信された番組データはネットワーク（ＬＡＮ、ＷＡＮ）を介して番組受信装置側のネットワークインターフェイスＢに送信される。番組受信装置は番組データ受信手段が受信した番組データを記録メディアＢに番組データ記録手段を用いて記録する。
【００１３】
この発明によって、番組送信装置の記録メディアに記録されている番組を、番組受信装置の記録メディアにダビングする際に、送信する番組管理情報に存在するレジューム領域に該当番組のレジューム位置情報を設定することでレジューム位置を送信することができるため、ネットワークを介して接続された番組送信装置・番組受信装置の使い易さの向上におおいに役立つ。
【００１４】
図２に番組受信装置が番組送信装置に番組管理情報を要求したときのフローチャートを示す。番組管理情報要求を受信した番組送信装置は番組管理情報を取得した後に要求された番組がレジューム位置情報を持っているかどうかを判断する。レジューム位置情報を持っていないと判断された番組は番組管理情報を番組受信装置に送信するが、レジューム位置情報を持っていると判断された場合は番組管理情報のレジューム位置情報を示す領域にレジューム位置情報を設定した後に番組管理情報を番組受信装置に送信する。
【００１５】
なお、本発明において番組受信装置が番組送信装置に番組取得を要求するダウンロード型のダビングについてレジューム位置情報を送信することを可能したが、番組送信装置が番組受信装置に番組記録を要求するアップロード型のダビングについても同様の効果を得ることができる。
【００１６】
また、本発明では、番組受信装置は記録メディアに番組情報を記録するダビング機能を可能にしたが、ネットワークを介したレジューム再生も実現できる。
【産業上の利用可能性】
【００１７】
本発明にかかる番組送信装置は、ネットワークを介して番組を再生・ダビングする際に該当番組のレジューム位置情報を番組管理情報に付加し、番組受信装置に送信するため、ネットワーク接続可能なＡＶ機器に適用できる。
【００１８】
本発明にかかる番組受信装置は、番組管理情報のレジューム位置情報を番組送信装置から受信するため、ネットワークに接続可能なＡＶ機器に適用できる。
【図面の簡単な説明】
【００１９】
【図１】本発明の実施の形態１に於ける番組送信装置・番組受信装置の実施方法を示した説明図
【図２】本発明の実施の形態１に於ける番組送信装置の動作を示したフローチャート
【符号の説明】
【００２０】
１    番組送信装置
２    ネットワークインターフェイスＡ
３    番組データ要求受信手段
４    番組管理情報要求受信手段
５    記録メディアＡ
６    番組データ取得手段
７    番組データ送信手段
８    番組管理情報取得手段
９    番組レジューム情報作成手段
１０    番組管理情報更新手段
１１    番組管理情報送信手段
１２    番組受信装置
１３    ネットワークインターフェイスＢ
１４    番組管理情報要求手段
１５    番組データ要求手段
１６    番組管理情報受信手段
１７    番組管理情報作成手段
１８    番組管理情報更新手段
１９    番組管理情報記録手段
２０    番組データ受信手段
２１    番組データ記録手段
２２    記録メディアＢ
【図１】
2006311264.tif 000003
【図２】
2006311264.tif 000004